(57)【要約】【課題】  セキュリティ性と利便性とを共に実現されたＩＣカードを提供する。【解決手段】  静電容量型指紋センサ１０、表示素子１１、記憶部１６、及び演算処理部を具１４、１５備し、記憶部１６には、認証指紋データ、特定情報、及び当該特定情報を利用するためのアプリケーションが記憶されており、演算処理部１４、１５は、静電容量型指紋センサ１０から抽出された抽出指紋データと、認証指紋データとを比較し、抽出指紋データと、認証指紋データとが一致した場合のみに、演算処理部１４、１５はアプリケーションを起動し、表示素子１１は特定情報を表示するＩＣカードを特徴とする。【選択図】    図４
2006072890.tif 000002
【特許請求の範囲】
【請求項１】
静電容量型指紋センサ、表示素子、記憶部、及び演算処理部を具備し、
前記記憶部には、認証指紋データ、特定情報、及び当該特定情報を利用するためのアプリケーションが記憶されており、
前記演算処理部は、前記静電容量型指紋センサから抽出された抽出指紋データと、前記認証指紋データとを比較し、
前記抽出指紋データと、前記認証指紋データとが一致した場合のみに、前記演算処理部は前記アプリケーションを起動し、前記表示素子は前記特定情報を表示することを特徴とするＩＣカード。
【請求項２】
静電容量型指紋センサ、表示素子、記憶部、及び演算処理部を具備し、
前記記憶部には、認証指紋データ、複数の特定情報、及び当該複数の特定情報を各々利用するための複数のアプリケーションが記憶されており、
前記演算処理部は、前記静電容量型指紋センサから抽出された抽出指紋データと、前記複数の認証指紋データとを比較し、
前記抽出指紋データと、前記複数の認証指紋データとが一致した場合のみに、前記演算処理は、前記複数のアプリケーションのいずれかを起動可能とし、前記表示素子は前記複数のアプリケーションに対応した複数の特定情報のいずれかを表示可能とすることを特徴とするＩＣカード。
【請求項３】
前記記憶部には、複数の前記認証指紋データが記憶されており、
当該複数の認証指紋データの各々は、前記複数のアプリケーションの各々に対応しており、
前記静電容量型指紋センサから抽出された抽出指紋データと、前記複数の認証指紋データのいずれか一の認証指紋データとが一致した場合のみに、前記演算処理部は前記一の認証指紋データに対応したアプリケーションを起動し、前記表示素子は当該アプリケーションにおける特定情報を表示することを特徴とする請求項２に記載のＩＣカード。
【請求項４】
前記複数のアプリケーションのうちいずれかを選択する選択手段を更に備え、
前記抽出指紋データと、前記複数の認証指紋データとが一致した場合のみに、前記選択手段は、前記複数のアプリケーションのいずれかを選択し、前記表示素子は当該選択されたアプリケーションの特定情報を表示することを特徴とする請求項２に記載のＩＣカード。
【請求項５】
外部装置との通信を可能とする通信部を更に備え、
前記演算処理部において前記抽出指紋データと前記認証指紋データとが一致した場合のみに、
前記演算処理部は前記通信部を介して前記外部装置に前記特定情報を出力することを特徴とする請求項１から請求項４のいずれか一項に記載のＩＣカード。
【請求項６】
外部装置との通信を可能とする通信部を更に備え、
前記演算処理部において前記抽出指紋データと前記認証指紋データとが一致した場合のみに、
前記演算処理部は前記通信部を介して前記外部装置が出力する更新情報を入力し、
前記記憶部は、前記更新情報を記憶することを特徴とする請求項１から請求項４のいずれか一項に記載のＩＣカード。
【請求項７】
前記表示素子は、前記更新情報を表示することを特徴とする請求項６に記載のＩＣカード。
【請求項８】
前記表示素子は、電気泳動表示デバイスであることを特徴とする請求項１から請求項７のいずれか一項に記載のＩＣカード。
【請求項９】
前記電気泳動表示デバイスが表示した画像を消去する画像消去手段を更に備えることを特徴とする請求項８に記載のＩＣカード。
【発明の詳細な説明】
【技術分野】
【０００１】
本発明は、指紋センサを搭載したＩＣカードに関する。
【背景技術】
【０００２】
ＩＣカード（スマートカード）は、ＩＣ（集積回路）チップを搭載したカードであり、磁気ストライプカードと比較して、高情報容量化、セキュリティ性向上（偽変造、不正使用の防止）、複数のアプリケーションに対応可能、ホスト負荷軽減（オフライン処理が可能）等の特徴を有する。このため、クレジットカードやキャッシュカードの他、電子マネー、電子商取引、医療保健分野、鉄道・バスなどの交通分野やビルの入退出管理等への展開が盛んに行われ始めている。これに伴い、更なるセキュリティ向上（情報保護、アクセス制限等）の目的から、指紋センサを搭載した個人認証機能付きＩＣカードが提案されている（例えば、特許文献１参照。）。
また、近年では、個人認証機能だけでなく、複数のアプリケーション（マルチアプリケーション）が利用可能なＩＣカードに関する技術が開示されている（例えば、特許文献２参照。）。
【特許文献１】特開平１１−３１２２２５号公報
【特許文献２】特開２００１−３０７０４３号公報
【発明の開示】
【発明が解決しようとする課題】
【０００３】
しかしながら、本発明者は、上記特許文献に記載された技術は、利便性が不十分であることを見出した。
本発明は、上述した事情に鑑みてなされたもので、セキュリティ性と利便性とを共に実現されたＩＣカードを提案することを目的とする。
【課題を解決するための手段】
【０００４】
本発明者は、個人認証機能を備えたＩＣカードにおいて、ＩＣカード自体に表示装置が設けられていないことから、個人認証後に身分証明書等の個人情報を表示できないことに着目した。また、本発明者は、マルチアプリケーション機能を備えたＩＣカードにおいて、複数のアプリケーションのうち、どのアプリケーションを利用するか確認できないことに着目した。そして、本発明者は、このような従来のＩＣカードには表示機能が具備されていないことから、情報表示を行うことができず、個人認証後における利便性が低いことを見出した。
そこで、本発明者は、上記に基づいて以下の手段を有するＩＣカードを想到した。
【０００５】
即ち、本発明のＩＣカードは、静電容量型指紋センサ、表示素子、記憶部、及び演算処理部を具備し、前記記憶部には、認証指紋データ、特定情報、及び当該特定情報を利用するためのアプリケーションが記憶されており、前記演算処理部は、前記静電容量型指紋センサから抽出された抽出指紋データと、前記認証指紋データとを比較し、前記抽出指紋データと、前記認証指紋データとが一致した場合のみに、前記演算処理部は前記アプリケーションを起動し、前記表示素子は前記特定情報を表示することを特徴としている。
【０００６】
本発明によれば、演算処理部において、静電容量型指紋センサから抽出された抽出指紋データと、記憶部に記憶された認証指紋データとを比較することによって、ＩＣカードの利用者の個人認証を行うことができ、ＩＣカードの利用者を限定することができる。従って、ＩＣカードの悪用を防止することができ、セキュリティ性が高いＩＣカードを実現できる。
また、本発明のＩＣカードは、抽出指紋データと、認証指紋データとが一致した場合のみに、アプリケーションを起動させることができる。更に、本発明のＩＣカードは、このような個人認証や、アプリケーションの起動だけでなく、当該アプリケーションにおける特定情報を表示することができる。従って、ＩＣカードの利用者は、当該特定情報を確認することができる。一方、従来のＩＣカードにおいては、表示素子が具備されていないために、個人認証後の情報を確認することができなかった。
従って、本発明は、従来のＩＣカードと比較して、個人認証後の利便性がより高いものとなる。
【０００７】
また、本発明のＩＣカードにおいては、静電容量型指紋センサ、表示素子、記憶部、及び演算処理部を具備し、前記記憶部には、認証指紋データ、複数の特定情報、及び当該複数の特定情報を各々利用するための複数のアプリケーションが記憶されており、前記演算処理部は、前記静電容量型指紋センサから抽出された抽出指紋データと、前記複数の認証指紋データとを比較し、前記抽出指紋データと、前記複数の認証指紋データとが一致した場合のみに、前記演算処理は、前記複数のアプリケーションのいずれかを起動可能とし、前記表示素子は前記複数のアプリケーションに対応した複数の特定情報のいずれかを表示可能とすることを特徴としている。
【０００８】
本発明によれば、演算処理部において、静電容量型指紋センサから抽出された抽出指紋データと、記憶部に記憶された認証指紋データとを比較することによって、ＩＣカードの利用者の個人認証を行うことができ、ＩＣカードの利用者を限定することができる。従って、ＩＣカードの悪用を防止することができ、セキュリティ性が高いＩＣカードを実現できる。
また、本発明のＩＣカードは、抽出指紋データと、認証指紋データとが一致した場合のみに、複数のアプリケーションを起動させることができる。更に、本発明のＩＣカードは、このような個人認証や、複数のアプリケーションを起動させるだけでなく、当該複数のアプリケーションの各々における特定情報を表示することができる。従って、ＩＣカードの利用者は、当該特定情報を確認することができる。一方、従来のＩＣカードにおいては、表示素子が具備されていないために、個人認証後の情報を確認することができなかった。
従って、本発明は、従来のＩＣカードと比較して、個人認証後の利便性がより高いものとなる。
【０００９】
また、本発明のＩＣカードにおいては、前記記憶部には、複数の前記認証指紋データが記憶されており、当該複数の認証指紋データの各々は、前記複数のアプリケーションの各々に対応しており、前記静電容量型指紋センサから抽出された抽出指紋データと、前記複数の認証指紋データのいずれか一の認証指紋データとが一致した場合のみに、前記演算処理部は前記一の認証指紋データに対応したアプリケーションを起動し、前記表示素子は当該アプリケーションにおける特定情報を表示することを特徴としている。
【００１０】
本発明によれば、先に記載したＩＣカードと同様の効果が得られる。更に、本発明においては、複数の認証指紋データの各々は、前記複数のアプリケーションの各々に対応しているので、利用者が複数の指のうちいずれかを選択してＩＣカードの静電容量型指紋センサに触れることで、個人認証が行われ、更に、当該指に対応したアプリケーションを限定して起動させることができる。更に、当該アプリケーションに対応した特定情報を表示素子において表示させることができる。従って、アプリケーションを選択するための選択手段が不要になり、スイッチ等の入力手段をＩＣカードに設ける必要がなくなり、ＩＣカードの構成を簡素化することができる。
【００１１】
また、本発明のＩＣカードにおいては、前記複数のアプリケーションのうちいずれかを選択する選択手段を更に備え、前記抽出指紋データと、前記複数の認証指紋データとが一致した場合のみに、前記選択手段は、前記複数のアプリケーションのいずれかを選択し、前記表示素子は当該選択されたアプリケーションの特定情報を表示することを特徴としている。
【００１２】
本発明によれば、先に記載したＩＣカードと同様の効果が得られる。更に、本発明においては、指紋センサによる個人認証後に、選択手段によって複数のアプリケーションのうちいずれかを選択することにより、特定のアプリケーションを起動させることができる。更に、当該アプリケーションにおける特定情報を表示素子において表示させることができる。
【００１３】
また、本発明のＩＣカードにおいては、外部装置との通信を可能とする通信部を更に備え、前記演算処理部において前記抽出指紋データと前記認証指紋データとが一致した場合のみに、前記演算処理部は前記通信部を介して前記外部装置に前記特定情報を出力することを特徴としている。
ここで、通信部とは、ＩＣカードと外部装置との通信を可能とするものであって、その形態は限定されるものではない。通信部として、例えば、外部装置に設けられた端子と、ＩＣカードに設けられた端子とが直接的に接続されることで、通信を行うものが挙げられる。また、通信部として、外部装置に設けられたアンテナと、ＩＣカードに設けられたアンテナとが、電磁的な作用によって通信を行うものが挙げられる。
このようにすれば、先に記載したＩＣカードと同様の効果が得られると共に、通信部を介してＩＣカードで利用可能なアプリケーションにおける特定情報を外部装置に出力することができる。
【００１４】
また、本発明のＩＣカードにおいては、外部装置との通信を可能とする通信部を更に備え、前記演算処理部において前記抽出指紋データと前記認証指紋データとが一致した場合のみに、前記演算処理部は前記通信部を介して前記外部装置が出力する更新情報を入力し、前記記憶部は、前記更新情報を記憶することを特徴としている。
このようにすれば、先に記載したＩＣカードと同様の効果が得られると共に、通信部を介して外部装置が出力する更新情報をＩＣカードに入力することができる。
【００１５】
また、本発明のＩＣカードにおいては、前記表示素子は、前記更新情報を表示することを特徴としている。
このようにすれば、先に記載したＩＣカードと同様の効果が得られると共に、通信部を介して外部装置からＩＣカードに入力された更新情報を表示することができる。
【００１６】
また、本発明のＩＣカードにおいては、前記表示素子は、電気泳動表示デバイスであることを特徴としている。
ここで、電気泳動表示デバイスは、ＴＦＴ等の駆動素子が所定時間の間に所定電圧を付与することで、その後に電圧を付加することなく、画像を保持することが可能となっている。即ち、画像の表示記憶性や表示メモリ性を有する表示素子である。
このような電気泳動表示デバイスを備えることにより、画像を表示するための消費電力を低減できるので、低消費電力を実現することができると共に、表示メモリ性を有するＩＣカードを実現できる。
【００１７】
また、本発明のＩＣカードにおいては、前記電気泳動表示デバイスが表示した画像を消去する画像消去手段を更に備えることを特徴としている。
上記のように、電気泳動素子は表示メモリ性を有している。そこで、本発明のように画像消去手段を備えることで、ＩＣカードの使用後に電気泳動表示デバイスにおける残像を消去することができ、ＩＣカードが表示する特定情報の悪用を防止できる。これにより、より高いセキュリティ性を有するＩＣカードを実現できる。
【発明を実施するための最良の形態】
【００１８】
（ＩＣカードの第１実施形態）
以下、本発明の第１実施形態に係るＩＣカードについて図を参照して説明する。
図１は、本実施形態に係るＩＣカードＫを示す平面図である。
図１に示すように、ＩＣカードＫは、指紋センサ（静電容量型指紋センサ）１０と、電気泳動表示デバイス（表示素子、Electro Phoretic Display、以下、ＥＰＤと称する。）１１と、接続用ＩＣ端子（通信部）１２と、画像消去スイッチ（画像消去手段）１３と、を備えている。
また、ＩＣカードＫの内部には、２枚のプラスチック基材によって挟持されたＩＣチップ等の集積回路が設けられている。そして、ＩＣチップは、後述するように演算処理部（後述）と記憶部（後述）として機能するようになっている。
【００１９】
次に、図２〜図４を参照して、ＩＣカードＫにおける各構成要素について詳述する。
図２は指紋センサの構成を示す模式図であり、図３は電気泳動表示デバイス（ＥＰＤ）の断面を示す断面図であり、図４はＩＣカードＫの構成を説明するためのブロック図である。
【００２０】
（指紋センサ）
図２に示すように、指紋センサ１０は、静電容量型、すなわち凹凸を有する指紋と検出面１０ａとの間の距離に応じて変化する静電容量を測定して、指紋データを検出するようになっている。このような静電容量型の指紋センサ１０は、光源が不要であるために薄型化することが容易であり、かつ表面保護層（パッシベーション膜）を適切に選択することによって、耐傷性を向上させることが可能となっている。
指紋センサ１０は、プラスチック基材１１５上に設けられており、このプラスチック基材１１５上には、所定の間隔を空けて互いに平行に形成された不図示の複数の走査線と、この走査線に対して直交するように所定の間隔を空けて互いに平行に形成された複数の信号線１１６とが設けられている。
【００２１】
複数の走査線と複数の信号線１１６との交点のそれぞれに対応する位置には、トランジスタ等によって構成されるスイッチング素子１１２が設けられている。
これらの走査線、信号線１１６およびスイッチング素子１１２によって、アクティブマトリクスアレイ１１３が構成されており、このアクティブマトリクスアレイ１１３の上には、検出電極１１１が各スイッチング素子１１２に対応する位置にマトリックス状に設けられている。
各検出電極１１１は、アクティブマトリクスアレイ１１３の全面を覆うように絶縁膜（パッシベーション膜）１１４にて覆われており、絶縁膜１１４は、ＩＣカードＫの利用者の指Ｆと接触可能になっている。
なお、アクティブマトリクスアレイ１１３としては、半導体基板上に形成されたＭＯＳトランジスタアレイ、絶縁基板上に形成された薄膜トランジスタ（ＴＦＴ、Thin Film Transistor）等を用いることができる。
【００２２】
このような構成を有する指紋センサ１０においては、指Ｆが検出面１０ａに接触すると、指Ｆとマトリックス状に配置された各検出電極１１１との間に、２次元的に分布する静電容量が発生する（図２のＣ１，Ｃ２，Ｃ３等）。この２次元的に分布した各静電容量の値をアクティブマトリクスアレイ１１３によって電気的に読み出すことにより、指Ｆの表面に形成された微細な凹凸形状のパターン（抽出指紋データ）を検出することができる。静電容量方式を用いた指紋センサ１０において、人体に帯電した静電気による放電破壊を回避するためには、検出前において、指Ｆに帯電した静電気を放電し、指Ｆの電位をスイッチング素子１１２のグランド（基準電位）Ｇレベルと略同一の電位にしておくことが必須である。更に、各静電容量の値を安定して検出するためには、検出時において、指Ｆの電位を所定の電位に固定することが好ましい。このため、検出電極とは異なる電極、すなわち人体に帯電した静電気を放電させる放電用電極１２０をＩＣカードＫの基板５０上に設けている。
また、このような指紋センサ１０において検出された信号は、信号線１１６を介して、後述する第２演算処理部１５に伝達するようになっている。
【００２３】
（ＥＰＤ）
図３は、ＥＰＤ１１の断面を示す断面図である。
ＥＰＤ１１は、可撓性を有するプラスチック基材１１５上に、電極フィルム２１１ｄ、電気泳動表示層２１１ｃ、電極フィルム２１１ｂ及びこの表示部を保護する表面保護層２１１ａが積層されて構成されている。なお、表面保護層２１１ａは省略することも可能である。このようなＥＰＤ１１は、指紋センサ１０と同じプラスチック基材１１５上に形成されている。
【００２４】
電極フィルム２１１ｂは、ポリエチレンテレフタレート（ＰＥＴ）、ポリエチレンナフタレート（ＰＥＮ）、ポリイミド等の寸法安定性の優れた透明なプラスチックフィルムに電極が形成されているものである。電極フィルム２１１ｄも同様な基材の電極が形成されてなるものであるが、必ずしも透明性は要求されない。なお、電極フィルム２１１ｂと電極フィルム２１１ｄとは、上下動通電極２１１ｆにより導通される。
電極フィルム２１１ｂは、全面に同一の電位がかかる共通電極となり、一方、電極フィルム２１１ｄにはアクティブマトリックス電極或いはセグメント電極等が形成されて駆動電極となる。
【００２５】
電気泳動表示層２１１ｃを形成するマイクロカプセル２１１は、アラビアガム・ゼラチンの複合膜、ウレタン樹脂、ウレア樹脂、尿素樹脂等をカプセル殻とし、カプセル殻の作製方法としては、界面重合法、ｉｎ−ｓｉｔｕ重合法、相分離法、界面沈殿法、スプレードライング法、等の公知のマイクロカプセル化手法を採用することができる。内部には泳動粒子と分散媒が封入される。泳動粒子としては有機あるいは無機の粒子（高分子あるいはコロイド）が用いられる。たとえば、アニリンブラック、カーボンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。分散媒としては無色または染料により染色された水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものを用いることができる。
【００２６】
電気泳動は、電気泳動粒子は予め正または負に帯電させられており、また、分散媒と電気泳動粒子とは、互いに異なる着色がなされている。例えば白の粒子である酸化チタンを正電荷に、一方黒の粒子であるカーボンブラックを負電荷にした場合、二つの電極フィルム２１１ｂ，２１１ｄに電界を印加して、電極フィルム２１１ｂが負極、電極フィルム２１１ｄが正極になると、正に帯電した白の粒子が電極フィルム２１１ｂ側に引かれ、黒の粒子が電極フィルム２１１ｄ側に引かれるので、電極フィルム２１１ｂを透明電極としておくことにより、電極フィルム２１１ｂ側の上方から観察すると、その部分が白く見えるようになる。逆に、電極フィルム２１１ｂが正極、電極フィルム２１１ｄが負極になった場合には、正に帯電した白の粒子が電極フィルム２１１ｄ側に引かれ、黒の粒子が電極フィルム２１１ｂ側に引かれるので、電極フィルム２１１ｂの上方から観察するとその部分が黒く見える。
【００２７】
ＥＰＤ１１は、上述したマイクロカプセル２１１を多数有しているので、電極フィルム２１１ｂ，２１１ｄの各アドレス電極の電界を制御することで、所望の文字、数字、或いは記号を白と黒の画素で表示させることが可能となっている。
なお、マイクロカプセル２１１をアクティブマトリックス駆動法で駆動する場合は、電極フィルム２１１ｄは画素電極として画素毎に独立してパターニングされ、不図示の薄膜トランジスタ、信号電極、および走査電極を併設し、電極フィルム２１１ｂは光透過性基材上に一様に形成された透明な共通電極とする。この場合、電極フィルム２１１ｂを共通電極にすると全面同一電位になるので（例えば電位をゼロとする）、電極フィルム２１１ｄ側の各アドレス電極の電界を制御（正または負の電位を与える）することで、上述した原理に基づき電極位置のマイクロカプセル２１１内の粒子を移動させ、所望の画像を表示させることができる。同様に、電極フィルム２１１ｄを共通電極とし、電極フィルム２１１ｂ側の各アドレス電極の電界を制御することで、電極位置のマイクロカプセル２１１内の粒子を移動させることで所望の画像を表示させるようにしてもよい。
時分割駆動の場合は、電極フィルム２１１ｂ、２１１ｄは互いに直交するライン状のＩＴＯ（Indium Tin Oxide：インジウム錫酸化物）等の透明導電体からなる透明電極により構成され、両電極の交わる領域にマイクロカプセル２１１を配置する。
駆動方式は上述したものに限定されず、用途に応じて最適なものを選択すればよい。また、マイクロカプセル２１１の径は、種々のものを採用することが可能である。
このようなＥＰＤ１１は、表示画像を記憶するメモリ性を有している。具体的には、電極フィルム２１１ｂ，２１１ｄの間に電圧を一度付与するだけで、ＥＰＤ１１の画像は保持され、電圧が付与されていない状態で表示画像が残るようになっている。従って、一度表示した画像を電源が切れても保持するという特性を有し、低消費電力が実現可能となっている。
【００２８】
上記のような指紋センサ１０及びＥＰＤ１１においては、薄膜トランジスタを利用することにより指紋情報を静電容量として電気的に読み出したり、電気泳動表示層２１１ｃに電圧を付与したりしている。このような薄膜トランジスタは、ＳＵＦＴＬＡ（Surface Free Technology by Laser Ablation）（登録商標）等の剥離転写技術によりプラスチック基材１１５に形成されたものである。具体的には、耐熱性に優れ、透明性を有する、例えばガラス基板上に低温ポリシリコンＴＦＴを予め形成し、その後、レーザー照射によって所定の薄膜トランジスタを剥離し、当該薄膜トランジスタをプラスチック基材１１５上に転写して形成するものである。このような技術を用いることにより、従来まではガラス基板のような硬くて耐熱性を有する基板のみにしか形成することができなかった薄膜トランジスタを、例えばガラス基板よりも耐熱性が劣るような、可撓性基板に転写形成することが可能となる。従って、柔軟性を有するプラスチック基材１１５等に容易に薄膜トランジスタを形成することが可能となり、指紋センサ１０やＥＰＤ１１を備えると共に可撓性を有するＩＣカードＫが実現可能となる。
【００２９】
（接続用ＩＣ端子）
また、接続用ＩＣ端子１２は、ＩＣカードＫと外部装置２０との間で情報の入出力や送受信（通信）を行うためのものである。そして、当該接続用ＩＣ端子１２は、ＩＣカードＫを使用する際に、外部装置２０に設けられた端子に接続されるものである。また、接続用ＩＣ端子１２は、ＩＣカードＫの内部に設けられたＩＣチップに接続されており、外部装置とＩＣチップとの間で入出力信号を送受信するようになっている。
なお、本実施形態においては、外部装置２０とＩＣカードＫとの通信手段として接続用ＩＣ端子１２を採用し、接続用ＩＣ端子１２と外部装置２０の端子とを直接的に接触させて入出力信号を送受信するようになっているが、本実施形態は、これに限定するものではなく、通信部としてアンテナがＩＣカードＫに設けて、当該アンテナと、外部装置２０に設けられたアンテナとの間において、電磁的に入出力信号を送受信してもよい。
【００３０】
（画像消去スイッチ）
また、画像消去スイッチ１３は、例えば、メンブレンスイッチ等からなるものである。
ここで、上記のようにＥＰＤ１１は、表示画像を記憶するメモリ性を有しているため、利用者が画像消去スイッチ１３をＯＮにすることで、ＥＰＤ１１が表示した画像を消去するようになっている。また、ＥＰＤ１１の表示画像が残っている場合には、第３者による悪用を招く恐れがあるが、このような画像スイッチ１３がＯＮになることで、このような悪用の危険性を回避することが可能となる。
【００３１】
（演算処理部、記憶部）
次に、図４を参照して、ＩＣカードＫに内蔵された演算処理部と記憶部１６について説明する。
図４に示すように、ＩＣカードは、ＩＣチップ内に第１演算処理部１４と、第２演算処理部１５と、記憶部１６とを備えており、更に、当該ＩＣチップに電力を供給する電源部１７を備えている。
【００３２】
ここで、第１演算処理部１４においては、ＩＣカードＫは別体の外部装置２０が具備するリーダライタと、接続用ＩＣ端子１２との間で特定情報の入出力が行われるようになっている。また、第１演算処理部１４は、制御部、駆動用プログラムを記憶するマスクＲＯＭ、入出力データや演算データを一時格納し出力側に引き渡す役割を有するＲＡＭ、及び演算部から構成されている。
【００３３】
また、第２演算処理部１５においては、指紋センサ１０に入力された指紋情報を抽出指紋データとして入力されるようになっており、また、画像消去スイッチ１３がＯＮ状態になった場合にＯＮ信号が入力されるようになっている。更に、第２演算処理部１５は、制御指令に基づいて、記憶部１６から特定情報を読み出して、ＥＰＤ１１に当該特定情報を表示されるようになっている。また、第２演算処理部１５は、制御部、駆動用プログラムを記憶するマスクＲＯＭ、指紋情報等の入出力データや演算データを一時格納し出力側に引き渡す役割を有するＲＡＭ、及び演算部から構成されている。
【００３４】
また、記憶部１６は、ＥＥＰＲＯＭを有しており、第１演算処理部１４や第２演算処理部１５において処理された様々な情報を記憶するようになっている。また、アプリケーションを動作させるためのプログラムが記憶されている。
本実施形態においては、アプリケーションとして運転免許証の表示プログラムが記憶されている。そして、記憶部１６の記憶される特定情報としては、例えば、本人の運転免許証の名前、住所、番号、生年月日等が記憶されている。更に、記憶部１６には、ＩＣカードＫの利用者を特定するために、利用者の指紋情報が認証指紋データとして記憶されている。
【００３５】
なお、実際のＩＣカードＫにおいては、これら２つの第１演算処理部１４、第２演算処理部１５を１つの演算処理部として構成することも可能である。
【００３６】
次に、利用者がＩＣカードＫを使用する形態について説明する。
図５は、ＩＣカードＫにおいて利用者の個人認証を行った後に、運転免許証を表示するアプリケーションを動作させるフローチャート図である。
【００３７】
まず、利用者が指紋センサ１０に指を押し当てると、第２演算処理部１５のＲＡＭに一時的に抽出指紋データが格納される（ステップＳ１）。そして、当該抽出指紋データと、予め記憶部１６に登録されていた利用者の認証指紋データとが第２演算処理部１５の演算部において比較される。そして、演算部における比較の結果、抽出指紋データと認証指紋データとが一致していると判定された場合（ステップＳ２）に、運転免許証を表示するためのアプリケーションが起動し（ステップＳ３）、記憶部１６に格納されている運転免許証の名前、住所、番号、生年月日等がＥＰＤ１１に表示される（ステップＳ４）。そして、運転免許証の表示をした後に、表示する必要がなくなった場合には、利用者の判断に基づいて、画像消去スイッチ１３がＯＮとなり、ＥＰＤ１１が表示している画像が消去される（ステップＳ５）。
【００３８】
なお、本実施形態においては、運転免許証を表示するアプリケーションを限定するものではなく、他のアプリケーションを利用することも可能である。
例えば、本実施形態のＩＣカードをクレジットカードやバンクカードとして利用することが可能である。
【００３９】
このような場合、ＩＣカードＫは、ＥＰＤ１１を備えているので、使用金額や残高等の表示を行うことが可能となる。更に、外部装置２０のリーダライタと接続用ＩＣ端子１２とが接続されることで、ＩＣカードＫと外部装置２０との間で通信可能となり、ＩＣカードＫに記憶されていた情報を更新することも可能となる。具体的には、クレジットカードの使用後にリーダライタによって第１演算処理部１４のＲＡＭに使用金額、残高情報等が書き込まれ、更に、記憶部１６において記憶される。そして、第２演算処理部１５において抽出指紋データと認証指紋データとが一致していると判定された場合、記憶部１６に記憶された情報は、ＥＰＤ１１に表示される。従って、ＩＣカードＫにおいては、予め記憶された情報だけでなく、外部装置２０から入力された更新情報も表示可能となる。
【００４０】
なお、ＩＣカードＫにおいては、指紋認証後に接続用ＩＣ端子１２が有効になるプログラムが第１演算処理部１４のマスクＲＯＭに格納されてもよい。
このような場合、指紋センサ１０で認証が行われなければ、当該ＩＣカードＫは使用不可能となるために、本人以外の使用が不可能となる。また、指紋照合が行われた結果、記憶部１６に格納されている認証指紋データと一致しなかった場合はＥＰＤ１１に使用不可の表示をしてもよい。更に、指紋認証は、ＩＣカードＫ内のみで行われるため、外部に使用者の指紋情報が漏洩することも無い。従って、更に高いセキュリティ性を有するＩＣカードＫを実現できる。
【００４１】
上述したように、本実施形態のＩＣカードＫにおいては、第２演算処理部１５において、指紋センサ１０から抽出された抽出指紋データと、記憶部１６に記憶された認証指紋データとを比較することによって、ＩＣカードＫの利用者の個人認証を行うことができ、ＩＣカードＫの利用者を限定することができる。従って、ＩＣカードＫの悪用を防止することができ、セキュリティ性が高いＩＣカードを実現できる。
また、本実施形態のＩＣカードＫは、抽出指紋データと、認証指紋データとが一致した場合のみに、アプリケーションを起動させることができる。
更に、本実施形態のＩＣカードＫは、このような個人認証や、アプリケーションの起動だけでなく、当該アプリケーションにおける特定情報をＥＰＤ１１に表示することができる。従って、ＩＣカードＫの利用者は、当該特定情報を確認することができる。一方、従来のＩＣカードにおいては、ＥＰＤ１１等の表示素子が具備されていないために、個人認証後の情報を確認することができなかった。従って、本実施形態のＩＣカードＫは、従来のＩＣカードと比較しても、個人認証後の利便性がより高いものとなる。
【００４２】
また、外部装置２０との通信を可能とする接続用ＩＣ端子１２を更に備えているので、抽出指紋データと認証指紋データとが一致した場合のみに、第１演算処理部１４は接続用ＩＣ端子１２を介して外部装置２０に特定情報を出力することができる。更に、接続用ＩＣ端子１２を介して、外部装置２０が出力する更新情報を第１演算処理部１４に入力することで、記憶部１６は更新情報を記憶することができる。
従って、ＩＣカードＫで利用可能なアプリケーションにおける特定情報を外部装置２０に出力することができ、また、外部装置２０の情報を更新情報として入力することで、記憶部１６に更新情報を記憶することができる。また、当該更新情報をＥＰＤ１１に表示することができる。
【００４３】
また、ＩＣカードＫが備えるＥＰＤ１１は、薄膜トランジスタ等の駆動素子が所定時間の間に所定電圧を付与することで、その後に電圧を付加することなく、画像を保持することができる。従って、画像を表示するための消費電力を低減できるので、低消費電力を実現することができると共に、表示メモリ性を有するＩＣカードを実現できる。
【００４４】
また、ＩＣカードが備える画像消去スイッチ１３によって、表示メモリ性を有するＥＰＤ１１の画像を消去することができる。従って、ＩＣカードＫが表示する特定情報の悪用を防止でき、より高いセキュリティ性を有するＩＣカードＫを実現できる。
【００４５】
（ＩＣカードの第２実施形態）
次に、本発明の第２実施形態に係るＩＣカードについて図を参照して説明する。
本実施形態においては、先に記載した第１実施形態と異なる部分についてのみ説明し、同一構成には同一符号を付して説明を簡略化している。
図６は、本実施形態におけるＩＣカードＫの構成を説明するためのブロック図である。
【００４６】
図６に示すように、本実施形態のＩＣカードＫにおいては、記憶部１６が複数のＥＥＰＲＯＭを備えた構成となっている。そして、複数のＥＥＰＲＯＭの各々には、複数の異なる認証指紋データ、複数のアプリケーションを動作させるプログラム、各アプリケーションにおける個人情報等の特定情報が格納されている。具体的には、ＥＥＰＲＯＭ１には利用者の必要な指の本数の認証指紋データが格納されており、ＥＥＰＲＯＭ２には運転免許証の表示プログラムと使用情報が格納されており、ＥＥＰＲＯＭ３にはクレジットカードのプログラムと使用情報が格納されており、ＥＥＰＲＯＭ４にはバンクカードのプログラムと使用情報が格納されている。このようにＩＣカードＫの利用プログラム毎にそれぞれの対応したメモリ領域のＥＥＰＲＯＭが記憶部１５に設けられている。
また、ＥＥＰＲＯＭ１に格納されている利用者の認証指紋データとは、上記の３つのアプリケーションを各々利用するものであり、各アプリケーションに対応した親指、人差指、中指の認証指紋データを意味している。そして、本実施形態においては、親指の認証指紋データによって運転免許証のアプリケーションを利用するようになっており、人差指の認証指紋データによってクレジットカードのアプリケーションを利用するようになっており、中指の認証指紋データによってバンクカードのアプリケーションを利用するようになっている。
更に、各々の指とそれに対応するＥＥＰＲＯＭの領域に関する情報はマスクＲＯＭに格納されている。
【００４７】
次に、図７及び図８を参照して、利用者がＩＣカードＫを使用する形態について説明する。ここで、図７はフローチャート図であり、図８は利用者の指を示す図である。
最初に、運転免許証を表示するアプリケーションについて説明する。
まず、使用者が左手親指Ａ（図８参照）をＩＣカードＫの指紋センサ１０に押し当てると、指紋センサ１０で得られた左手親指の抽出指紋データが第２演算処理部１５のＲＡＭに格納される（ステップＳ１１）。
次に、ＥＥＰＲＯＭ１に格納された各々の指の認証指紋データと比較され、左手親指の指紋データが一致する（ステップＳ１２）。
次に、マスクＲＯＭに格納された左手親指の認証指紋データに対応するＥＥＰＲＯＭ２の領域へ指令が出る（ステップＳ１３）。
次に、その指令を受けたＥＥＰＲＯＭ２から第１演算処理部１４へ、運転免許証を表示するアプリケーションの起動の指令が出る（ステップＳ１４）。そして、第２演算処理部１５へ運転免許証の名前、住所、番号、生年月日の情報が行き、第２演算処理部１５の制御部はＥＰＤ１１へそれら情報を表示させる（ステップＳ１５）。それら指令は暗号化されたものであり、またＥＥＰＲＯＭ内情報も暗号化されていることが好ましい。その後、利用者の判断に基づいて、画像消去スイッチ１３がＯＮとなり、ＥＰＤ１１が表示している画像が消去される（ステップＳ１６）。
【００４８】
次に、クレジットカードを利用するアプリケーションについて説明する。
まず、使用者が左手人差指Ｂ（図８参照）をＩＣカードＫの指紋センサ１０に押し当てると、指紋センサ１０で得られた左手人差指の抽出指紋データが第２演算処理部１５のＲＡＭに格納される（ステップＳ１１）。
次に、ＥＥＰＲＯＭ１に格納された各々の指の認証指紋データと比較され、左手人差指の指紋データが一致する（ステップＳ１２）。
次に、マスクＲＯＭに格納された左手人差指の認証指紋データに対応するＥＥＰＲＯＭ３の領域へ指令が出る（ステップＳ２１）。
次に、その指令を受けたＥＥＰＲＯＭ３から第１演算処理部１４へ、クレジットカードを利用するアプリケーションの起動の指令が出る（ステップＳ２２）。
そして、第２演算処理部１５へ、例えば当月はいくらクレジットカードを使用した等の使用状況等の情報が行き、第２演算処理部１５の制御部はＥＰＤ１１へそれら情報を表示させる（ステップＳ２３）。それら指令は暗号化されたものであり、またＥＥＰＲＯＭ内情報も暗号化されていることが好ましい。クレジットカード使用後は接続用ＩＣ端子１２から使用状況が第１演算処理部１４のＲＡＭに格納され、さらにＥＥＰＲＯＭ３の使用情報を書き換える。つまりＥＥＰＲＯＭの各領域は常に最新の使用情報を保持する。その後、利用者の判断に基づいて、画像消去スイッチ１３がＯＮとなり、ＥＰＤ１１が表示している画像が消去される（ステップＳ２４）。
【００４９】
次に、バンクカードを利用するアプリケーションについて説明する。
まず、使用者が左手中指Ｃ（図８参照）をＩＣカードＫの指紋センサ１０に押し当てると、指紋センサ１０で得られた左手中指の抽出指紋データが第２演算処理部１５のＲＡＭに格納される（ステップＳ１１）。
次に、ＥＥＰＲＯＭ１に格納された各々の指の認証指紋データと比較され、左手中指の指紋データが一致する（ステップＳ１２）。
次に、マスクＲＯＭに格納された左手中指の認証指紋データに対応するＥＥＰＲＯＭ４の領域へ指令が出る（ステップＳ３１）。
次に、その指令を受けたＥＥＰＲＯＭ４から第１演算処理部１４へ、バンクカードを利用するアプリケーションの起動の指令が出る（ステップＳ３２）。
そして、第２演算処理部１５へ、例えば当月はいくらバンクカードを使用した等の使用状況等の情報が行き、第２演算処理部１５の制御部はＥＰＤ１１へそれら情報を表示させる（ステップＳ３３）。それら指令は暗号化されたものであり、またＥＥＰＲＯＭ内情報も暗号化されていることが好ましい。バンクカード使用後は接続用ＩＣ端子１２から使用状況が第１演算処理部１４のＲＡＭに格納され、さらにＥＥＰＲＯＭ４の使用情報を書き換える。つまりＥＥＰＲＯＭの各領域は常に最新の使用情報を保持する。その後、利用者の判断に基づいて、画像消去スイッチ１３がＯＮとなり、ＥＰＤ１１が表示している画像が消去される（ステップＳ３４）。
【００５０】
なお、本実施形態においては、親指、人差指、中指の各々に対応するアプリケーションを起動させているが、これを限定するものではない。各々の指だけでなく、指紋センサに置く指の向き、例えば、指を９０°ずつ異ならせた向きで指紋センサ１０に触れることで、各々異なるアプリケーションを起動させてもよい。
また、例えば、アプリケーションとして、複数の異なる銀行のバンクカードを割り当てた場合は、指紋を押し当てれば残高を見ることが可能となるので、各々の口座の残高を確認してから使用できるという使い方もある。
【００５１】
上述したように、本実施形態のＩＣカードＫにおいては、第２演算処理部１５において、指紋センサ１０から抽出された抽出指紋データと、記憶部１６に記憶された認証指紋データとを比較することによって、ＩＣカードＫの利用者の個人認証を行うことができ、ＩＣカードＫの利用者を限定することができる。従って、ＩＣカードＫの悪用を防止することができ、セキュリティ性が高いＩＣカードを実現できる。
また、本実施形態のＩＣカードＫは、抽出指紋データと、認証指紋データとが一致した場合のみに、複数のアプリケーションを起動させることができる。
更に、本実施形態のＩＣカードＫは、このような個人認証や、複数のアプリケーションを起動させるだけでなく、当該複数のアプリケーションの各々における特定情報を表示することができる。従って、ＩＣカードＫの利用者は、当該特定情報を確認することができる。一方、従来のＩＣカードにおいては、ＥＰＤ１１等の表示素子が具備されていないために、個人認証後の情報を確認することができなかった。従って、本発明は、従来のＩＣカードと比較して、個人認証後の利便性がより高いものとなる。
【００５２】
また、本発明のＩＣカードにおいては、記憶部１６には、親指、人差指、中指等の複数の認証指紋データが記憶され、また、当該複数の認証指紋データの各々は、免許証、クレジットカード、及びバンクカード等の複数のアプリケーションの各々に対応している。そして、指紋センサ１０から抽出された抽出指紋データと、複数の認証指紋データのいずれか一の認証指紋データとが一致した場合のみに、一の認証指紋データに対応したアプリケーションを起動させている。更に、ＥＰＤ１１は選択されたアプリケーションにおける特定情報を表示している。これにより、個人認証を行うことができるだけでなく、一の認証指紋データに対応したアプリケーションを限定して起動させることができる。更に、当該アプリケーションに対応した特定情報をＥＰＤ１１に表示させることができる。従って、アプリケーションを選択するための選択手段が不要になり、スイッチ等の入力手段をＩＣカードＫに設ける必要がなくなり、ＩＣカードＫの構成を簡素化することができる。
従って、利便性と高いセキュリティ性とを兼ね備えた、マルチアプリケーションＩＣカードＫを実現することができる。
【００５３】
（ＩＣカードの第３実施形態）
次に、本発明の第３実施形態に係るＩＣカードについて図を参照して説明する。
本実施形態においては、先に記載した第１及び第２の実施形態と異なる部分についてのみ説明し、同一構成には同一符号を付して説明を簡略化している。
図９は、本実施形態に係るＩＣカードＫを示す平面図である。
【００５４】
図９に示すように、本実施形態のＩＣカードＫは、第１実施形態に記載した構成を有すると共に、選択スイッチ（選択手段）１７を備えている。このような選択スイッチ１７は、例えば、メンブレンスイッチからなるものである。
更に、本実施形態のＩＣカードＫは、第２実施形態に記載したように複数のアプリケーションを利用可能としている。そして、選択スイッチ１７のうち、
選択スイッチ１７Ａが選択された場合には、運転免許証の表示アプリケーションが起動するようになっている。また、選択スイッチ１７Ｂが選択された場合には、クレジットカードのアプリケーションが起動するようになっている。また、選択スイッチ１７Ｃが選択された場合には、バンクカードのアプリケーションが起動するようになっている。
従って、本実施形態は、先に記載した実施形態と比較して、ＩＣカードＫの利用者を認証した後に選択スイッチ１７によって複数のアプリケーションのうちいずれかを選択して利用する点が相違している。
【００５５】
次に、図９を参照して、利用者がＩＣカードＫを使用する形態について説明する。ここで、図９はフローチャート図である。
まず、利用者が指紋センサ１０に指を押し当てると、第２演算処理部１５のＲＡＭに一時的に抽出指紋データが格納される（ステップＳ４１）。そして、当該抽出指紋データと、予め記憶部１６に登録されていた利用者の認証指紋データとが第２演算処理部１５の演算部において比較される。そして、演算部における比較の結果、抽出指紋データと認証指紋データとが一致していると判定された場合（ステップＳ４２）に、複数のアプリケーションのうちいずれかを選択することが可能となる。
【００５６】
そして、ステップＳ４３のアプリケーション選択において、選択スイッチ１７ＡがＯＮとなった場合には、ＥＥＰＲＯＭ２から第１演算処理部１４へ、運転免許証を表示するアプリケーションの起動の指令が出る（ステップＳ４４）。そして、第２演算処理部１５へ運転免許証の名前、住所、番号、生年月日の情報が行き、第２演算処理部１５の制御部はＥＰＤ１１へそれら情報を表示させる（ステップＳ４５）。それら指令は暗号化されたものであり、またＥＥＰＲＯＭ内情報も暗号化されていることが好ましい。その後、利用者の判断に基づいて、画像消去スイッチ１３がＯＮとなり、ＥＰＤ１１が表示している画像が消去される（ステップＳ４６）。
【００５７】
また、ステップＳ４３のアプリケーション選択において、選択スイッチ１７ＢがＯＮとなった場合には、ＥＥＰＲＯＭ３から第１演算処理部１４へ、クレジットカードを利用するアプリケーションの起動の指令が出る（ステップＳ５１）。そして、第２演算処理部１５へ、例えば当月はいくらクレジットカードを使用した等の使用状況等の情報が行き、第２演算処理部１５の制御部はＥＰＤ１１へそれら情報を表示させる（ステップＳ５２）。それら指令は暗号化されたものであり、またＥＥＰＲＯＭ内情報も暗号化されていることが好ましい。クレジットカード使用後は接続用ＩＣ端子１２から使用状況が第１演算処理部１４のＲＡＭに格納され、さらにＥＥＰＲＯＭ３の使用情報を書き換える。つまりＥＥＰＲＯＭの各領域は常に最新の使用情報を保持する。その後、利用者の判断に基づいて、画像消去スイッチ１３がＯＮとなり、ＥＰＤ１１が表示している画像が消去される（ステップＳ２５３）。
【００５８】
また、ステップＳ４３のアプリケーション選択において、選択スイッチ１７ＣがＯＮとなった場合には、ＥＥＰＲＯＭ４から第１演算処理部１４へ、バンクカードを利用するアプリケーションの起動の指令が出る（ステップＳ６１）。
そして、第２演算処理部１５へ、例えば当月はいくらバンクカードを使用した等の使用状況等の情報が行き、第２演算処理部１５の制御部はＥＰＤ１１へそれら情報を表示させる（ステップＳ６２）。それら指令は暗号化されたものであり、またＥＥＰＲＯＭ内情報も暗号化されていることが好ましい。バンクカード使用後は接続用ＩＣ端子１２から使用状況が第１演算処理部１４のＲＡＭに格納され、さらにＥＥＰＲＯＭ４の使用情報を書き換える。つまりＥＥＰＲＯＭの各領域は常に最新の使用情報を保持する。その後、利用者の判断に基づいて、画像消去スイッチ１３がＯＮとなり、ＥＰＤ１１が表示している画像が消去される（ステップＳ６３）。
【００５９】
上述したように、本実施形態のＩＣカードＫにおいては、先に記載の実施形態と同様の効果が得られると共に、指紋センサ１０による個人認証後に、選択スイッチ１７によって複数のアプリケーションのうちいずれかを選択することにより、特定のアプリケーションを起動させることができる。更に、当該アプリケーションにおける特定情報をＥＰＤ１１に表示させることができる。
【００６０】
なお、上記の第１〜第３の実施形態においては、表示素子として、ＥＰＤ１１を採用したが、他の表示素子を採用してもよい。例えば、コレステリック液晶材料を利用した反射型液晶表示装置を備えたＩＣカードでもよい。このような液晶材料は、ＥＰＤ１１と同じように表示メモリ性を有していることから、ＩＣカードに採用する表示素子としては、好ましいものとなる。
【００６１】
なお、本発明は、上記実施の形態に限定されるものではなく、本発明の要旨を逸脱しない範囲で種々変更し得ることは勿論である。
【図面の簡単な説明】
【００６２】
【図１】第１実施形態に係るＩＣカードＫを示す平面図。
【図２】第１実施形態における指紋センサの構成を示す模式図。
【図３】第１実施形態における電気泳動表示デバイス（ＥＰＤ）の断面を示す断面図。
【図４】第１実施形態に係るＩＣカードＫの構成を説明するためのブロック図。
【図５】第１実施形態に係るＩＣカードにおける動作のフローチャート図。
【図６】第２実施形態に係るＩＣカードＫの構成を説明するためのブロック図。
【図７】第２実施形態に係るＩＣカードにおける動作のフローチャート図。
【図８】第２実施形態に係るＩＣカードの利用者の指を示す図である。
【図９】第３実施形態に係るＩＣカードＫを示す平面図。
【図１０】第３実施形態に係るＩＣカードにおける動作のフローチャート図。
【符号の説明】
【００６３】
１０…指紋センサ（静電容量型指紋センサ）、  １１…ＥＰＤ（電気泳動表示デバイス、表示素子）、  １２…接続用ＩＣ端子（通信部）、  １３…画像消去スイッチ（画像消去手段）、  １４…第１演算処理部（演算処理部）、  １５…第２演算処理部（演算処理部）、  １６…記憶部、  １７、１７Ａ、１７Ｂ、１７Ｃ…選択スイッチ（選択手段）、  Ｋ…ＩＣカード
【図１】
2006072890.tif 000003
【図２】
2006072890.tif 000004
【図３】
2006072890.tif 000005
【図４】
2006072890.tif 000006
【図５】
2006072890.tif 000007
【図６】
2006072890.tif 000008
【図７】
2006072890.tif 000009
【図８】
2006072890.tif 000010
【図９】
2006072890.tif 000011
【図１０】
2006072890.tif 000012